(57)【要約】【課題】把手部の取り付け形態が異なるにも拘らず、扉体の上端部と洗浄槽の上端部との間に隙間が生じるのを十分に抑制しながら、把手部が取り付けられた扉体を洗浄槽との間に前カバーを位置させた状態で洗浄槽の前部に装着することができ、しかも、その装着作業を簡略化し得る食器洗浄機を提供する。【解決手段】洗浄槽と扉体との間に位置されて、洗浄槽の前部の上下幅方向の全体及び横幅方向の全体を覆う前カバーＭが、洗浄槽の前部に装着され、把手部として、扉体の上端面から背面に回り込む引っ掛け部を備える形態の把手部を取り付ける場合において、引っ掛け部を入れ込むために切除する切除領域Ｍｃを示す切除領域指示部Ｉが、前カバーＭの上端側部分に設けられている。【選択図】図１９
2014158569.tif 000002
【特許請求の範囲】
【請求項１】
洗浄槽挿脱用開口が前部に形成された本体ケーシングと、前記本体ケーシングの内部の洗浄運転用の収納位置と前記本体ケーシングの前方に引き出された引出位置とにわたって前記洗浄槽挿脱用開口を通して出退移動自在な状態で、前記本体ケーシングに支持された洗浄槽とを備え、
前記洗浄槽が前記収納位置に位置する状態において前記洗浄槽挿脱用開口を閉じる扉体が、前記洗浄槽の前部の上下幅方向の全体及び横幅方向の全体を覆う状態で、前記洗浄槽に装着され、
前記扉体の前部に把手部が設けられた食器洗浄機であって、
前記洗浄槽と前記扉体との間に位置されて、前記洗浄槽の前部の上下幅方向の全体及び横幅方向の全体を覆う前カバーが、前記洗浄槽の前部に装着され、
前記把手部として、前記扉体の上端面から背面に回り込む引っ掛け部を備える形態の把手部を取り付ける場合において、前記引っ掛け部を入れ込むために切除する切除領域を示す切除領域指示部が、前記前カバーの上端側部分に設けられている食器洗浄機。
【請求項２】
前記切除領域指示部が、前記切除領域における前カバー横幅方向の左端に対応させて、前カバー上下幅方向に伸びる線状に形成される線状左端指示部と、前記切除領域における前記前カバー横幅方向の右端に対応させて、前記前カバー上下幅方向に伸びる線状に形成される線状右端指示部と、前記切除領域における前記前カバー上下幅方向の下端に対応させて、前記前カバー横幅方向に伸びる線状に形成される線状下端指示部とから構成されている請求項１に記載の食器洗浄機。
【請求項３】
前記線状左端指示部及び前記線状右端指示部夫々が、前記前カバー横幅方向に並ぶ状態で、複数本設けられている請求項２に記載の食器洗浄機。
【請求項４】
前記線状左端指示部、前記線状右端指示部及び前記線状下端指示部夫々が、前記前カバーの厚さ方向に凹む凹溝状に構成されている請求項２又は３に記載の食器洗浄機。
【請求項５】
前記線状左端指示部、前記線状右端指示部及び前記線状下端指示部夫々が、前記前カバーの厚さ方向に貫通する切れ目状に構成されている請求項２又は３に記載の食器洗浄機。
【請求項６】
切れ目状の前記線状下端指示部が、前記前カバーの厚さ方向に貫通する複数の線状切れ目部分を、隣接するもの同士の間に非切れ目部分を位置させる状態で、前記前カバー横幅方向に並設する形態に構成されている請求項５に記載の食器洗浄機。
【請求項７】
前記線状切れ目部分の前記前カバー横幅方向に沿う長さが、前記非切れ目部分の前記前カバー横幅方向に沿う長さの複数倍以上に形成されている請求項６に記載の食器洗浄機。
【発明の詳細な説明】
【技術分野】
【０００１】
本発明は、洗浄槽挿脱用開口が前部に形成された本体ケーシングと、前記本体ケーシングの内部の洗浄運転用の収納位置と前記本体ケーシングの前方に引き出された引出位置とにわたって前記洗浄槽挿脱用開口を通して出退移動自在な状態で、前記本体ケーシングに支持された洗浄槽とを備え、前記洗浄槽が前記収納位置に位置する状態において前記洗浄槽挿脱用開口を閉じる扉体が、前記洗浄槽の前部の上下幅方向の全体及び横幅方向の全体を覆う状態で、前記洗浄槽に装着され、前記扉体の前部に把手部が設けられた食器洗浄機に関する。
【背景技術】
【０００２】
かかる食器洗浄機は、通常、キッチンカウンタの下方に、引出し式の収納部等の複数の収納部と並ぶ状態で設置されて、皿や茶碗等の食器類を洗浄するのに使用されることになる。
つまり、洗浄槽を本体ケーシングから引き出した引出位置に位置させて、皿や茶碗等の食器類を洗浄槽の内部に収容し、その後、洗浄槽を本体ケーシングの内部の収納位置に位置させて、洗浄運転を行い、洗浄運転が終了した後においては、洗浄槽を本体ケーシングから引き出した引出位置に位置させて、皿や茶碗等の食器類を洗浄槽から取出すことになる。
【０００３】
そして、洗浄槽が収納位置に位置する状態において洗浄槽挿脱用開口を閉じる扉体が、洗浄槽の前部の上下幅方向の全体及び横幅方向の全体を覆う状態で、洗浄槽に装着され、洗浄槽を引き出し操作するための把手部が、扉体の前部に設けられている。
この扉体の表面は、通常、キッチンカウンタの下方に配置される複数の収納部や固定パネル等の設置体の表面と、同一の色調で、同一の図柄となるように構成されて、色合い面において外観を美麗な状態にするように意図されている。
しかも、洗浄槽の前面に操作パネル等、収納部や固定パネル等の設置体の表面と色調や図柄の異なる部分が露呈するのを回避して、システムキッチン全体として統一感のある外観とするように意図されている。（例えば、特許文献１参照。）。
【先行技術文献】
【特許文献】
【０００４】
【特許文献１】特開２００７−９７８０４号公報
【発明の概要】
【発明が解決しようとする課題】
【０００５】
ところで、扉体の表面を、システムキッチンのキッチンカウンタの下方に配置される複数の収納部や固定パネル等の設置体の表面と、同一の色調で、同一の図柄となるように構成する場合においては、食器洗浄機を設置する施工現場において、洗浄槽に対して扉体を装着することになる。
【０００６】
すなわち、食器洗浄機の製造会社にて製造された食器洗浄機が、扉体を装着しない状態で食器洗浄機を設置する施工現場に搬送され、システムキッチンの製造会社等によって製作された扉体が、別途、食器洗浄機を設置する施工現場に搬送されることになり、施工現場において、洗浄槽に対して扉体を装着することになる。
【０００７】
つまり、システムキッチンの購入者が、キッチンカウンタの下方に配置される複数の収納部や固定パネル等の設置体の表面の色調や図柄を選ぶと、システムキッチンの製造会社等によって、設置体の表面の色調や図柄と同一となる表面を備える扉体が施工現場に用意されることになり、施工者が、施工現場において、洗浄槽に対して扉体を装着することになる。
【０００８】
そこで、施工現場において、洗浄槽の前部に扉体を装着する前に、その洗浄槽の前部に装備された機器類（例えば、食器洗浄機の運転を制御する運転制御部等）が露呈するのを回避するために、洗浄槽の前部に、その前部の上下幅方向の全体及び横幅方向の全体を覆う前カバーを装着することが考えられる。
このような場合は、前部に前カバーが装着された洗浄槽に対して、把手部が取り付けられた扉体を装着することになる。
【０００９】
ところで、把手部として、扉体に対する取り付け形態が異なる複数種の把手部が扉体に取り付け可能に構成されている。
例えば、扉体の上端面から背面に回り込む引っ掛け部にて、扉体の上端部に引っ掛ける形態で取り付ける把手部（以下、引っ掛け型の把手部と記載する場合がある）や、扉体の表面部における上下方向の中間部に当て付ける形態で取り付ける把手部（以下、当て付け型の把手部と記載する場合がある）が取り付け可能に構成されている。
【００１０】
そして、引っ掛け型の把手部が取り付けられた扉体を、前部に前カバーが装着された洗浄槽の前部に装着する場合、前カバーに加工を施さないままで扉体を洗浄槽に装着すると、扉体の上端部と洗浄槽の上端部との間において、洗浄槽横幅方向の両端側の部分等、引っ掛け部が存在しない部分に隙間が生じる。
このように扉体の上端部と洗浄槽の上端部との間に隙間が生じると、洗浄槽の上部の開口から飛び出した洗浄水が、隙間を通って扉体と洗浄槽との間に漏出する虞がある。
【００１１】
尚、当て付け型の把手部が取り付けられた扉体を、前部に前カバーが装着された洗浄槽の前部に装着する場合は、扉体の上端部と洗浄槽の上端部との間には、その横幅方向の全長にわたって前カバーの上端部が介在しているので、扉体の上端部と洗浄槽の上端部との間に隙間が生じることがない。
【００１２】
そこで、扉体の上端部と洗浄槽の上端部との間に隙間が生じるのを抑制するために、把手部の引っ掛け部を入れ込むことが可能なように、前カバーの上端部を切除することになるが、前カバーにおいて引っ掛け部に合致させるように切除領域を定めて、前カバーから切除領域を切除する必要があり、その作業が複雑なものとなっていた。
すなわち、引っ掛け部の扉体横幅方向及び扉体上下幅方向（すなわち、前カバー横幅方向及び前カバー上下幅方向に相当する）夫々に沿う長さを計測すると共に、前カバーにおいて切除領域とする場所を定め、その定めた場所に、計測した長さに対応させて切除範囲を示す目印をつけて、切除領域を切除することになり、切除領域を切除する作業が複雑となっていた。
ちなみに、引っ掛け型の把手部として、引っ掛け部の扉体横幅方向に沿う長さが異なる複数種が用意される場合があるが、この場合も、当然のことながら、食器洗浄機を設置する施工工事毎に、上述のように、前カバーから切除領域を切除する作業が必要となる。
従って、従来の食器洗浄機では、洗浄槽と扉体との間に前カバーを位置させた状態で、把手部が取り付けられた扉体を洗浄槽の前部に装着する作業が複雑になるという問題があった。
【００１３】
本発明は、かかる実情に鑑みてなされたものであり、その目的は、把手部の取り付け形態が異なるにも拘らず、扉体の上端部と洗浄槽の上端部との間に隙間が生じるのを十分に抑制しながら、把手部が取り付けられた扉体を洗浄槽との間に前カバーを位置させた状態で洗浄槽の前部に装着することができ、しかも、その装着作業を簡略化し得る食器洗浄機を提供することにある。
【課題を解決するための手段】
【００１４】
本発明に係る食器洗浄機は、洗浄槽挿脱用開口が前部に形成された本体ケーシングと、前記本体ケーシングの内部の洗浄運転用の収納位置と前記本体ケーシングの前方に引き出された引出位置とにわたって前記洗浄槽挿脱用開口を通して出退移動自在な状態で、前記本体ケーシングに支持された洗浄槽とを備え、
前記洗浄槽が前記収納位置に位置する状態において前記洗浄槽挿脱用開口を閉じる扉体が、前記洗浄槽の前部の上下幅方向の全体及び横幅方向の全体を覆う状態で、前記洗浄槽に装着され、
前記扉体の前部に把手部が設けられたものであって、その第１特徴構成は、
前記洗浄槽と前記扉体との間に位置されて、前記洗浄槽の前部の上下幅方向の全体及び横幅方向の全体を覆う前カバーが、前記洗浄槽の前部に装着され、
前記把手部として、前記扉体の上端面から背面に回り込む引っ掛け部を備える形態の把手部を取り付ける場合において、前記引っ掛け部を入れ込むために切除する切除領域を示す切除領域指示部が、前記前カバーの上端側部分に設けられている点にある。
【００１５】
上記特徴構成によれば、引っ掛け型の把手部が扉体に取り付けられている場合は、切除領域指示部を目印にして、引っ掛け部を入れ込むための切除領域を切除し、そのように切除領域を切除した前カバーを洗浄槽の前部に装着する。
そして、引っ掛け型の把手部を上端部に取り付けた扉体を、前部に前カバーを装着した洗浄槽の前部に装着すると、引っ掛け部が切除領域に入り込むので、扉体の上端部と洗浄槽の上端部との間に隙間が生じるのを十分に抑制することができる。
切除領域を切除する作業は、予め設けられている切除領域指示部を目印にして、カッターナイフやニッパー等の工具を用いて行うことになる。つまり、前カバーから切除領域を切除する際に、従来必要としていた複雑な作業、すなわち、引っ掛け部の扉体横幅方向及び扉体上下幅方向夫々に沿う長さを計測すると共に、前カバーにおいて切除領域とする場所を定めて、その定めた場所に、計測した長さに対応させて切除範囲を示す目印をつけるといった作業が不要となる。
【００１６】
一方、当て付け型の把手部等、扉体の上端面から背面に回り込む引っ掛け部を用いない把手部が扉体に取り付けられている場合は、前カバーを、切除領域を切除することなく、洗浄槽の前部に装着する。この場合は、扉体の上端部と洗浄槽の上端部との間には、洗浄槽横幅方向の全長にわたって、前カバーの上端部が介在しているので、扉体の上端部と洗浄槽の上端部との間に隙間が生じることがない。
従って、把手部の取り付け形態が異なるにも拘らず、扉体の上端部と洗浄槽の上端部との間に隙間が生じるのを十分に抑制しながら、把手部が取り付けられた扉体を洗浄槽との間に前カバーを位置させた状態で洗浄槽の前部に装着することができ、しかも、その装着作業を簡略化し得る食器洗浄機を提供することができる。
【００１７】
第２特徴構成は、上記第１特徴構成に加えて、
前記切除領域指示部が、前記切除領域における前カバー横幅方向の左端に対応させて、前カバー上下幅方向に伸びる線状に形成される線状左端指示部と、前記切除領域における前記前カバー横幅方向の右端に対応させて、前記前カバー上下幅方向に伸びる線状に形成される線状右端指示部と、前記切除領域における前記前カバー上下幅方向の下端に対応させて、前記前カバー横幅方向に伸びる線状に形成される線状下端指示部とから構成されている点にある。
【００１８】
上記特徴構成によれば、線状左端指示部、線状右端指示部及び線状下端指示部に沿って、カッターナイフやニッパー等の工具を用いて前カバーを切断することにより、簡単に、しかも精度良く切除領域を前カバーから切除することができる。
つまり、線状左端指示部、線状右端指示部及び線状下端指示部に沿って前カバーを切断することにより、切断した縁部が曲がったり、本来切断すべき位置に達していなかったり、本来切断すべき位置からはみ出したりするのを十分に抑制することができるので、切除領域を精度良く前カバーから切除することができる。
このことにより、前カバーにおける切除領域の縁部と引っ掛け部における切除領域に入り込んだ部分の縁部との間に隙間が生じるのを十分に抑制することができる。
従って、扉体の上端部と洗浄槽の上端部との間に隙間が生じるのを更に抑制することができる。
【００１９】
第３特徴構成は、上記第２特徴構成に加えて、
前記線状左端指示部及び前記線状右端指示部夫々が、前記前カバー横幅方向に並ぶ状態で、複数本設けられている点にある。
【００２０】
上記特徴構成によれば、切除領域における前カバー横幅方向での幅を、実際に扉体に取り付けられた引っ掛け部の前カバー横幅方向での幅に対応させるべく（例えば、引っ掛け部の幅よりもわずかに大きい幅に設定すべく）、複数の線状左端指示部及び複数の線状右端指示部から特定のものを１本ずつ選択し、選択した線状左端指示部及び線状右端指示部に沿って前カバーを切断する。
つまり、引っ掛け部として、扉体横幅方向での幅が異なるものがある場合でも、実際に扉体に取り付けられた引っ掛け部の前カバー横幅方向での幅に応じて、複数の線状左端指示部及び複数の線状右端指示部から特定のものを１本ずつ選択するだけの簡単な作業で、切除領域における前カバー横幅方向での幅を設定することができる。
従って、引っ掛け型の把手部として、引っ掛け部の扉体横幅方向に沿う長さが異なる複数種が用意されている場合でも、扉体の上端部と洗浄槽の上端部との間に隙間が生じるのを十分に抑制しながら、把手部が取り付けられた扉体を洗浄槽との間に前カバーを位置させた状態で洗浄槽の前部に装着することができ、しかも、その装着作業を簡略化することができる。
【００２１】
第４特徴構成は、上記第２又は第３特徴構成に加えて、
前記線状左端指示部、前記線状右端指示部及び前記線状下端指示部夫々が、前記前カバーの厚さ方向に凹む凹溝状に構成されている点にある。
【００２２】
上記特徴構成によれば、線状左端指示部、線状右端指示部及び線状下端指示部夫々が、前カバーの厚さ方向に凹む凹溝状に構成されているので、それらの指示部に沿ってカッターナイフやニッパー等の工具を用いて前カバーを切断する際に、加える力を軽減することができる。
従って、前カバーから切除領域を切除する作業を一層容易化することができるので、把手部が取り付けられた扉体を、洗浄槽との間に前カバーを位置させた状態で洗浄槽の前部に装着する作業をより一層簡略化することができる。
【００２３】
第５特徴構成は、上記第２又は第３特徴構成に加えて、
前記線状左端指示部、前記線状右端指示部及び前記線状下端指示部夫々が、前記前カバーの厚さ方向に貫通する切れ目状に構成されている点にある。
【００２４】
上記特徴構成によれば、線状左端指示部、線状右端指示部及び線状下端指示部夫々が、前カバーの厚さ方向に貫通する切れ目状に構成されているので、切除領域を切除するために前カバーを切断する長さを十分に短くすることができる。
従って、前カバーから切除領域を切除する作業を一層容易化することができるので、把手部が取り付けられた扉体を、洗浄槽との間に前カバーを位置させた状態で洗浄槽の前部に装着する作業をより一層簡略化することができる。
【００２５】
第６特徴構成は、上記第５特徴構成に加えて、
切れ目状の前記線状下端指示部が、前記前カバーの厚さ方向に貫通する複数の線状切れ目部分を、隣接するもの同士の間に非切れ目部分を位置させる状態で、前記前カバー横幅方向に並設する形態に構成されている点にある。
【００２６】
上記特徴構成によれば、把手部のタイプが例えば当て付け型の把手部等、前カバーから切除領域を切除する必要のない場合は、前カバーにおいて夫々切れ目状の線状左端指示部、線状右端指示部及び線状下端指示部にて囲われている切除領域に対応する部分は、切れ目状の線状下端指示部の非切れ目部分により、前カバーにおける切除領域以外の本体部分に支持されている。
また、把手部のタイプが引っ掛け型の把手部の場合でも、引っ掛け部における前カバー横幅方向での幅が比較的狭い場合は、引っ掛け部の前カバー横幅方向での幅に対応する幅で前カバーから切除領域を切除しても、元々前カバーに支持されている切除領域のうちの切除されなかった部分は、非切れ目部分により前カバーの本体部分に支持される状態となる場合がある。
【００２７】
つまり、線状左端指示部、線状右端指示部及び線状下端指示部を夫々切れ目状にすることにより、前カバーから切除領域を切除する作業を一層容易化しながらも、切除領域を切除しない場合や、切除した切除領域における前カバー横幅方向での幅が狭い場合に、前カバーにおける切除領域に対応する部分や、切除領域に対応する部分のうちの切除されなかった部分が反ったり、曲がったりするのを十分に抑制して、扉体の上端部と洗浄槽の上端部との間に隙間が生じるのを一層抑制することができる。
従って、上記第５特徴構成によるよりも更に、扉体の上端部と洗浄槽の上端部との間に隙間が生じるのを抑制することができる。
【００２８】
第７特徴構成は、上記第６特徴構成に加えて、
前記線状切れ目部分の前記前カバー横幅方向に沿う長さが、前記非切れ目部分の前記前カバー横幅方向に沿う長さの複数倍以上に形成されている点にある。
【００２９】
上記特徴構成によれば、非切れ目部分の前カバー横幅方向に沿う長さは、線状切れ目部分の前カバー横幅方向に沿う長さに比べて十分に短いので、前カバーから切除領域を切除する際に、切れ目状の洗浄下端指示部に沿った前カバーの切断が一層容易になる。
従って、上記第６特徴構成によるよりも更に、前カバーから切除領域を切除する作業を容易化することができるので、把手部が取り付けられた扉体を、洗浄槽との間に前カバーを位置させた状態で洗浄槽の前部に装着する作業を更に簡略化することができる。
【図面の簡単な説明】
【００３０】
【図１】食器洗浄機の斜視図
【図２】扉体の装着部の一部切欠側面図
【図３】洗浄槽の斜視図
【図４】洗浄槽の正面図
【図５】図４におけるＶ−Ｖ線矢視図
【図６】図２におけるＶＩ−ＶＩ線矢視図
【図７】固定受け金具の斜視図
【図８】洗浄槽側レール部材の斜視図
【図９】洗浄槽に前カバーを装着した状態の斜視図
【図１０】扉体に係合体を装着した状態の斜視図
【図１１】係合体の正面図
【図１２】図１１におけるＸＩＩ−ＸＩＩ線矢視図
【図１３】係合体の下方側係合作用部を示す斜視図
【図１４】図１１におけるＸＩＶ−ＸＩＶ線矢視図
【図１５】上方側係合部分の側面図
【図１６】下方側係合部分の側面図
【図１７】前後位置調節用回転体の斜視図
【図１８】係合体と係合部との連結構成を示す斜視図
【図１９】前カバーの切除領域及び切除領域指示部を示す斜視図
【図２０】洗浄槽に対する扉体の装着構成を示す分解斜視図
【図２１】洗浄槽に対する扉体の装着構成を示す要部の斜視図
【図２２】洗浄槽に対する扉体の装着構成を示す分解斜視図
【図２３】システムキッチンの斜視図
【図２４】食器洗浄機をキッチンカウンタに装備した状態の側面図
【発明を実施するための形態】
【００３１】
以下、図面に基づいて、本発明の実施の形態を説明する。
（食器洗浄機の構成）
図１に示すように、洗浄槽挿脱用開口Ａが前部に形成された直方体状の本体ケーシング１が設けられ、平面視形状が四角状でかつ上部が開口された洗浄槽２が、本体ケーシング１の内部の洗浄運転用の収納位置と本体ケーシング１の前方に引き出された引出位置とにわたって洗浄槽挿脱用開口Ａを通して出退移動自在な状態で、本体ケーシング１に支持されて、引出し式の食器洗浄機Ｓが構成されている。
【００３２】
すなわち、引出し式の食器洗浄機Ｓは、洗浄槽２を本体ケーシング１から引き出した引出し状態において、食器類等の洗浄対象物を洗浄槽２の内部に収納し、洗浄槽２を本体ケーシング１の収納位置に収納した収納状態において、洗浄運転を行うように構成されている。
【００３３】
尚、洗浄槽２の下方には、洗浄ポンプ等の機器類が、洗浄槽２に組付けられた状態で配設され、洗浄槽２の内部には、洗浄ノズルや加熱用ヒータ等が配設され、また、洗浄槽２の内部には、食器類等の洗浄対象物を収納する洗浄カゴが、取出し自在に収納されることになるが、それらの構成は周知であるので、本実施形態においては説明を省略する。
【００３４】
また、洗浄槽２を本体ケーシング１に収納した状態において洗浄槽２の上面部を閉塞する内蓋部が、洗浄槽２を本体ケーシング１から引き出した引出し状態では洗浄槽２の上面部を開口するように、洗浄槽２の引き出し及び収納に伴って自動的に開閉される形態で設けられることになるが、その構成は周知であるので、本実施形態においては説明を省略する。
【００３５】
図１及び図２に示すように、洗浄槽２の前部には、その洗浄槽２が収納位置に位置する状態において洗浄槽挿脱用開口Ａを閉じる扉体３が装着され、その扉体３の前部に把手部Ｈが設けられている。また、図２及び図９に示すように、洗浄槽２と扉体３との間に位置されて、洗浄槽２の前部の上下幅方向の全体及び横幅方向の全体を覆う前カバーＭが、洗浄槽２の前部に装着される。
本実施形態の扉体３は、洗浄槽２の前部の上下幅方向の全体及び横幅方向の全体を覆うように構成され、扉体３には、引出し操作用の把手部Ｈが設けられている。
具体的には、扉体３は、その横幅が本体ケーシング１の横幅よりも少し大きく、且つ、その上下幅が本体ケーシング１の上下幅と同じ大きさとなるように構成されている。
【００３６】
扉体３には、把手部Ｈとして、扉体３に対する取り付け形態が異なる複数種が取り付け可能に構成されている。
例えば、図１、図２及び図２０に示すように、扉体３の上端面から背面に回り込む引っ掛け部４ｈを備えて、扉体３の上端部に引っ掛ける形態で取り付ける把手部４（以下、引っ掛け型の把手部４と記載する場合がある）や、図２２に示すように、扉体３の表面部における上下方向の中間部に当て付ける形態で取り付ける把手部４２（以下、当て付け型の把手部４２と記載する場合がある）が、扉体３に取り付け可能に構成されている。
尚、図２３及び図２４においては、引っ掛け型の把手部４を示しているが、同図において、当て付け型の把手部４２を、仮想線にて示している。
【００３７】
図２３及び図２４に示すように、本実施形態の食器洗浄機Ｓは、システムキッチンＫのキッチンカウンタ８の下方に、引出し式の収納部や固定パネル等の設置体Ｄと並べる状態で設置されるものであって、扉体３の表面が、設置体Ｄの前面部の表面と、同一の色調で、同一の図柄となるように構成されている。
尚、図２４においては、食器洗浄機Ｓの下方に、設置体Ｄとして、引出し式の収納部が配置される場合を例示する。
【００３８】
そして、食器洗浄機Ｓの扉体３は、食器洗浄機ＳをシステムキッチンＫに設置する際に、その施工現場にて、洗浄槽２の前部に装着されるものである。そこで、食器洗浄機Ｓの洗浄槽２の前部には、上述のように前カバーＭが装着されて、洗浄槽２の前部に装備した機器類を覆うように構成されている。
さらに、洗浄槽２の前部に対する扉体３の装着位置を、洗浄槽上下幅方向及び洗浄槽横幅方向において調整可能な扉体装着位置調整機構Ｐ（図１０及び図１８参照）が設けられている。
【００３９】
ちなみに、図２に示すように、洗浄槽２の前端部の上方箇所、つまり、扉体３の上部側部分の後方側箇所には、洗浄運転に関する種々の情報を指令する操作パネルＢが装備されており、洗浄槽２を引出し状態にして、操作パネルＢにて洗浄運転に関する情報を入力し、その後、洗浄槽２を収納状態することによって、運転制御部（図示せず）が、操作パネルＢにて入力された情報に基づいて、洗浄ポンプや加熱用ヒータ等を作動させて洗浄運転を実行するように構成されている。
【００４０】
尚、図示はしないが、洗浄槽２を収納状態にロックするロック装置や、洗浄槽２が収納状態であること検出する収納検出装置が装備されおり、上記運転制御部が、洗浄槽２が収納状態であることを確認しながら、洗浄運転を実行するように構成されている。
【００４１】
図１に示すように、洗浄槽２を本体ケーシング１に対して移動自在に支持する左右一対のスライド式レール機構Ｌが、洗浄槽２の底部の左右両端部に対応する箇所に設けられており、このスライド式レール機構Ｌを介して、洗浄槽２が収納位置と引出位置とにわたって移動自在な状態で本体ケーシング１に支持されている。ちなみに、引出位置においては、洗浄槽２の大部分を本体ケーシング１の外方に露出させる状態に引き出すことができるように構成されている。
【００４２】
つまり、図３〜図５及び図８に示すように、スライド式レール機構Ｌを構成する洗浄槽側レール部材６に、長尺状の洗浄槽接続部材７が装備され、この洗浄槽接続部材７に、洗浄槽２の底部の左右両端部が取付けられている。
尚、洗浄槽側レール部材６は、本体ケーシング１に設けた本体ケーシング側レール部材（図示せず）に対して、スライド自在に係合されることになる。
【００４３】
ちなみに、図３及び図４に示すように、洗浄槽２の左右は、それぞれ、側壁２Ｓにて覆われ、各側壁２Ｓの下端部には、スライド式レール機構Ｌを覆う下方張出部２ｄが延設され、また、図３及び図６に示すように、洗浄槽２の左右の側壁２Ｓの前端部には、洗浄槽２の前面部に設けた機器類を覆う前方張出部２ｆが延設されている。
尚、各側壁２Ｓは、下方張出部２ｄと前方張出部２ｆとを一連に連なる板状で備える形態に、樹脂成型（例えば、ＰＰ樹脂）にて形成されている。
【００４４】
（扉体の装着構成）
上述したように、食器洗浄機Ｓの扉体３は、食器洗浄機ＳをシステムキッチンＫに設置する際に、その施工現場にて、洗浄槽２の前部に装着されるものであり、以下、扉体３を洗浄槽２の前部に装着する構成について説明する。
【００４５】
図１０に示すように、扉体３の後面には、係合体Ｅが取付けられ、そして、洗浄槽２の前部には、図３〜図５に示すように、係合部Ｆが設けられている。
従って、扉体３の後面に取付けた係合体Ｅが、洗浄槽２の前部に設けた係合部Ｆに係合された状態で、扉体３が洗浄槽２の前部に装着されることになる。
【００４６】
係合体Ｅは、上方側の左右一対の係合作用部Ｅｕ、及び、下方側の左右一対の係合作用部Ｅｓを備えるように構成され、そして、係合部Ｆが、係合体Ｅに合わせて、上方側の左右一対の係合作用部Ｅｕの夫々が各別に係合する上方側の左右一対の係合部分Ｆｕ、及び、下方側の左右一対の係合作用部Ｅｓの夫々が各別に係合する下方側の左右一対の係合部分Ｆｓを備えるように構成されている。
【００４７】
つまり、図１８に示すように、上方側の左方の係合作用部Ｅｕと上方側の左方の係合部分Ｆｕとが係合する上方側左方連結部ＵＬ、上方側の右方の係合作用部Ｅｕと上方側の右方の係合部分Ｆｕとが係合する上方側右方連結部ＵＲ、下方側の左方の係合作用部Ｅｓと下方側の左方の係合部分Ｆｓとが係合する下方側左方連結部ＳＬ、及び、下方側の右方の係合作用部Ｅｓと下方側の右方の係合部分Ｆｓとが係合する下方側右方連結部ＳＲの夫々が設けられている。
【００４８】
そして、後述するように、上方側左方連結部ＵＬ、上方側右方連結部ＵＲ、下方側左方連結部ＳＬ及び下方側右方連結部ＳＲの夫々が、係合作用部Ｅｕ、Ｅｓと係合部分Ｆｕ、Ｆｓとを洗浄槽前後幅方向での相対移動を阻止した状態に係合させ、かつ、係合部分Ｆｕ、Ｆｓに対する係合作用部Ｅｕ、Ｅｓの洗浄槽前後幅方向での位置を変更調節自在に構成されている。
【００４９】
係合体Ｅについて説明を加えると、本実施形態においては、図１０に示すように、上方側の左方の係合作用部Ｅｕ及び下方側の左方の係合作用部Ｅｓを上下両端に備える金属製の左方側係合体形成体１０Ｌ、及び、上方側の右方の係合作用部Ｅｕ及び下方側の右方の係合作用部Ｅｓを上下両端に備える金属製の右方側係合体形成体１０Ｒが、扉体３の後面に設けられている。
【００５０】
そして、左方側係合体形成体１０Ｌを扉体３に取付ける左方取付け機構ＪＬ及び右方側係合体形成体１０Ｒを扉体３に取付ける右方取付け機構ＪＲの夫々が設けられて、左方側係合体形成体１０Ｌが、左方取付け機構ＪＬによって扉体３に取付けられ、右方側係合体形成体１０Ｒが、右方取付け機構ＪＲによって扉体３に取付けられている。
本実施形態においては、左方取付け機構ＪＬが、左方側係合体形成体１０Ｌにおける上下の２箇所の夫々に設けられ、また、右方取付け機構ＪＲが、右方側係合体形成体１０Ｒにおける上下の２箇所の夫々に設けられている。
【００５１】
左方取付け機構ＪＬ及び右方取付け機構ＪＲの夫々は、扉体３の洗浄槽横幅方向の位置を調節自在に構成されるものであって、具体的には、左方側係合体形成体１０Ｌ及び右方側係合体形成体１０Ｒを、扉体３の後面にビス１１ｄにて止着される支持金具１１に対して、扉体３の横幅方向（洗浄槽横幅方向）に沿って位置調節自在な状態で取付けるように構成されている。
【００５２】
左方側係合体形成体１０Ｌ及び右方側係合体形成体１０Ｒは、左右対称に構成されるものであり、また、左方取付け機構ＪＬ及び右方取付け機構ＪＲは、同様に構成されるものであるため、以下、右方側係合体形成体１０Ｒ及び右方取付け機構ＪＲを代表にして、その構成について説明し、左方側係合体形成体１０Ｌ及び左方取付け機構ＪＬについては、必要に応じて適宜説明を加える。
【００５３】
図１０及び図１１に示すように、右方側係合体形成体１０Ｒは、扉体３の上下幅方向（洗浄槽上下幅方向）に伸びる断面形状Ｌ型の軸状部１０ａの上下両端に、上方側の係合作用部Ｅｕを形成する上方板状部１０ｕ、及び、下方側の係合作用部Ｅｓを形成する下方板状部１０ｓを備えるものであって、扉体３の横幅方向視において、Ｕ字状に構成されている。
つまり、断面形状Ｌ型の軸状部１０ａは、その長手方向視にて、一辺側部分を扉体３の後面に当て付けた状態に装着されるものであって、軸状部１０ａにおける扉体３から起立姿勢となる他辺側部分に、上方板状部１０ｕ及び下方板状部１０ｓが連設されている。
【００５４】
軸状部１０ａにおける上下の支持金具１１に対応する箇所には、扉体３の横幅方向に伸びる二股状の中間板状部１０ｍが、軸状部１０ａにおける扉体３の後面に当て付けられる一辺側部分から連なる状態で形成され、それら中間板状部１０ｍが、支持金具１１に対して、扉体３の横幅方向に移動自在にかつ扉体３の上下幅方向での移動を規制された状態に係合するように構成されている。
つまり、支持金具１１は、扉体３の厚さ方向視（前後幅方向視）にて、帯板状に構成されるものであって、支持金具１１の上下の縁部に対して、中間板状部１０ｍの内縁部が摺接する状態となるように構成されている。
【００５５】
軸状部１０ａにおける上下の支持金具１１に対応する箇所には、扉体３の横幅方向に伸びる逆Ｕ字状の連結片１０ｒが、軸状部１０ａにおける扉体３から起立姿勢となる他辺側部分に連なる状態で形成されている（図１２及び図１３参照）。
【００５６】
支持金具１１は、図１２及び図１３に明示するように、扉体３の後面にビス１１ｄにて止着される板部分１１ａと、逆Ｕ字状の接続部分１１ｂとを、扉体３の横幅方向に並ぶ状態で備える形態に構成されている。
そして、接続部分１１ｂには、接続体１２が装備され、接続部分１１ｂにおける上壁に相当する部分には、扉体３の横幅方向に沿う長孔１３が形成されている。
【００５７】
接続体１２は、図１２〜図１４に示すように、支持金具１１における接続部分１１ｂと扉体３の後面との間に配置される本体部分１２ａと、本体部分１２ａから上方に突出する突出部分１２ｂとを備える状態に形成されている。
本体部分１２ａが、支持金具１１の接続部分１１ｂに形成した長孔１３の横幅よりも大きな横幅を有する状態に形成され、そして、突出部分１２ｂが、支持金具１１の接続部分１１ｂに形成した長孔１３の横幅よりも小さな横幅となる状態に形成されて、長孔１３を通して、接続部分１１ｂの外方に突出するように構成されている。
つまり、接続体１２は、扉体３の横幅方向に移動自在な状態で、支持金具１１の接続部分１１ｂに装着されている。
【００５８】
接続体１２における突出部分１２ｂが、扉体３の横幅方向に沿って二股状となるように形成されている。
そして、右方側係合体形成体１０Ｒにおける連結片１０ｒの先端が、接続体１２に係合するように構成され、かつ、連結片１０ｒを貫通する頭付ボルト１４が、接続体１２に螺合する状態で設けられている。
【００５９】
すなわち、頭付ボルト１４は、連結片１０ｒと接続体１２とに亘って架設されることになり、締め込みに伴って、接続体１２の本体部分１２ａを支持金具１１の接続部分１１ｂに圧接させて、接続体１２の支持金具１１に対する移動を固定し、かつ、連結片１０ｒを接続体１２に向けて押圧して、接続体１２に対する連結片１０ｒの離脱を阻止する状態に固定するように構成されている。
したがって、頭付ボルト１４を操作しながら、右方側係合体形成体１０Ｒの扉体３に対する横幅方向での位置を調節できるように構成されており、左方側係合体形成体１０Ｌも同様である。
【００６０】
つまり、頭付ボルト１４を緩めた状態において、接続体１２の支持金具１１に対する扉体３の横幅方向での位置を変更しながら、右方側係合体形成体１０Ｒの扉体３に対する横幅方向での位置を変更することができ、かつ、頭付ボルト１４を締め付けた状態において、接続体１２の支持金具１１に対する扉体３の横幅方向での移動を固定することによって、右方側係合体形成体１０Ｒの扉体３に対する横幅方向での移動を固定することができるように構成され、左方側係合体形成体１０Ｌについても同様に構成されている。
【００６１】
以上の説明から明らかな如く、本実施形態においては、右方取付け機構ＪＲが、扉体３に固定した支持金具１１に対して洗浄槽横幅方向に移動自在に且つ扉体３の後面から離間する方向への移動を阻止された状態に支持された接続体１２に対して、右方側係合体形成体１０Ｒから連設した連結片１０ｒを洗浄槽横幅方向に一体移動するように係合させ、且つ、連結片１０ｒと接続体１２とに亘って架設される一つの締付け具としての頭付ボルト１４によって、支持金具１１に対する接続体１２の移動を固定しかつ接続体１２に対する連結片１０ｒの離脱を阻止する状態に固定するように構成されている。
【００６２】
また、左方取付け機構ＪＬが、右方取付け機構ＪＲと同様に、扉体３に固定した支持金具１１に対して洗浄槽横幅方向に移動自在に且つ扉体３の後面から離間する方向への移動を阻止された状態に支持された接続体１２に対して、左方側係合体形成体１０Ｌから連設した連結片１０ｒを洗浄槽横幅方向に一体移動するように係合させ、且つ、連結片１０ｒと接続体１２とに亘って架設される一つの締付け具としての頭付ボルト１４によって、支持金具１１に対する接続体１２の移動を固定しかつ接続体１２に対する連結片１０ｒの離脱を阻止する状態に固定するように構成されている。
【００６３】
そして、本実施形態においては、左方取付け機構ＪＬが、左方側係合体形成体１０Ｌの上下２箇所に対応して設けられるものであるから、左方側係合体形成体１０Ｌの扉体３に対する横幅方向での位置を調節する際には、上下２箇所の頭付ボルト１４を操作しながら行うことになる。
同様に、右方取付け機構ＪＲが、右方側係合体形成体１０Ｒの上下２箇所に対応して設けられるものであるから、右方側係合体形成体１０Ｒの扉体３に対する横幅方向での位置を調節する際には、上下２箇所の頭付ボルト１４を操作しながら行うことになる。
【００６４】
尚、扉体３を洗浄槽２の前部に装着した状態においては、左方側係合体形成体１０Ｌや右方側係合体形成体１０Ｒは、洗浄槽２の前部の係合部Ｆに支持された状態になるものであるから、扉体３を洗浄槽２の前部に装着した状態においては、左方側係合体形成体１０Ｌや右方側係合体形成体１０Ｒに対して、扉体３に取付けた支持金具１１の洗浄槽横幅方向での位置が調節されることになり、この調節によって、洗浄槽２に対する扉体３の洗浄槽横幅方向での位置が調節されることになる。
【００６５】
ちなみに、扉体３を洗浄槽２に装着した状態、つまり、扉体３の後面に取付けた係合体Ｅを洗浄槽２の前部に設けた係合部Ｆに係合させて、扉体３を洗浄槽２の前部に装着した状態においては、左方側係合体形成体１０Ｌ及び右方側係合体形成体１０Ｒが、洗浄槽２における左右の前方張出部２ｆの間に位置するものとなるが、図２及び図６に示すように、洗浄槽２における左右の前方張出部２ｆには、頭付ボルト１４を操作するためのボルト操作用孔１５が形成されているため、扉体３を洗浄槽２に装着した状態においても、頭付ボルト１４を操作しながら、洗浄槽２に対する扉体３の洗浄槽横幅方向での位置を調節できるようになっている。
【００６６】
次に、係合体Ｅにおける上方側の左右一対の係合作用部Ｅｕ及び下方側の左右一対の係合作用部Ｅｓ、並びに、係合部Ｆにおける上方側の左右一対の係合部分Ｆｕ及び下方側の左右一対の係合部分Ｆｓを説明する。
尚、上方側の左右一対の係合作用部Ｅｕは同様に構成され、下方側の左右一対の係合作用部Ｅｓも同様に構成されるものであるため、以下、右方側係合体形成体１０Ｒが備える上方側の右方の係合作用部Ｅｕ、及び、下方側の右方の係合作用部Ｅｓを代表として説明し、左方側係合体形成体１０Ｌが備える上方側の左方の係合作用部Ｅｕ、及び、下方側の左方の係合作用部Ｅｓについては、必要に応じて説明を加える。
【００６７】
また、上方側の左右一対の係合部分Ｆｕは同様に構成され、下方側の左右一対の係合部分Ｆｓも同様に構成されるものであるため、係合部Ｆについても、右方側係合体形成体１０Ｒが備える上方側の右方の係合作用部Ｅｕが係合する上方側の右方の係合部分Ｆｕ、及び、下方側の右方の係合作用部Ｅｓが係合する下方側の右方の係合部分Ｆｓを代表として説明し、上方側の左方の係合部分Ｆｕ及び下方側の左方の係合部分Ｆｓについては必要に応じて説明を加える。
【００６８】
図２、図１０及び図１５に示すように、上方側の右方の係合作用部Ｅｕを形成する右方側係合体形成体１０Ｌの上方板状部１０ｕには、上方側の右方の係合部分Ｆｕが備える前後位置調整用回転体１６に上方より係合する下向き開口状の係合孔１７、及び、固定用ボルト１８が挿通する４角状の挿通孔１９が形成されている。
【００６９】
上方側の右方の係合部分Ｆｕは、図３、図５及び図７に示すように、洗浄槽２の前部の上方箇所にビス止めされる横長状の固定受け金具２０の端部に装備されている。
すなわち、固定受け金具２０は、横長枠体状の本体部２０ａと、その本体部２０ａの両端部の前後方向に沿う姿勢の板状部２０ｂとから構成され、その板状部２０ｂに、前後位置調整用回転体１６が回転自在に支持され、また、固定用ボルト１８が螺合する連結孔２１が形成されている。
【００７０】
前後位置調整用回転体１６は、図１７に示すように、マイナスドライバーの先端が係合する係合溝２２を備えた円盤状の頭部１６Ａと、円柱状の軸部１６Ｂとを備えるものであり、軸部１６Ｂが、頭部１６Ａの中心に対して偏心する状態で、頭部１６Ａに対して接続されて、いわゆる偏心式のカム操作体として構成されている。
そして、前後位置調整用回転体１６の軸部１６Ｂが板状部２０ｂに回転自在に嵌合されており、前後位置調整用回転体１６の頭部１６Ａを回転操作することにより、右方側係合体形成体１０Ｌの上方板状部１０ｕを洗浄槽前後幅方向（扉体３の厚さ方向）に移動させることができるように構成されている。
【００７１】
したがって、上方側の右方の係合作用部Ｅｕは、上方側の右方の係合部分Ｆｕが備える前後位置調整用回転体１６に対して下向き開口状の係合孔１７が係合することにより、上方側の右方の係合部分Ｆｕに対する洗浄槽前後幅方向の移動が阻止され、かつ、洗浄槽上下幅方向の移動が許容されることになり、かつ、前後位置調整用回転体１６の回転操作により、上方側の右方の係合部分Ｆｕに対する洗浄槽前後幅方向での位置が調節されることになる。
【００７２】
そして、上方側の左方の係合作用部Ｅｕも、上方側の右方の係合作用部Ｅｕと同様に、上方側の左方の係合部分Ｆｕに対する洗浄槽前後幅方向の移動が阻止され、かつ、洗浄槽上下幅方向の移動が許容されることになり、かつ、前後位置調整用回転体１６の回転操作により、上方側の左方の係合部分Ｆｕに対する洗浄槽前後幅方向での位置が調節されることになる。
【００７３】
固定用ボルト１８は、右方側係合体形成体１０Ｒの上方板状部１０ｕの挿通孔１９を覆う大きさの頭部を備える又は挿通孔１９を覆う大きさの座金を介在させて装着されるものであって、固定受け金具２０の板状部２０ｂの連結孔２１に螺合させて締め付けることにより、右方側係合体形成体１０Ｒの上方板状部１０ｕを固定受け金具２０の板状部２０ｂに密着させた状態に固定するように構成されている。
【００７４】
図２、図１０及び図１６に示すように、下方側の右方の係合作用部Ｅｓを形成する右方側係合体形成体１０Ｒの下方板状部１０ｓには、下方側の右方の係合部分Ｆｓが備える前後位置調整用回転体２３に上方より係合する下向き開口状の係合孔２４、下方側の右方の係合部分Ｆｓが備える上下位置調整用回転体２５に対して上方から接当する接当部２６、及び、固定用ボルト２７が挿通する４角状の挿通孔２８が形成されている。
【００７５】
下方側の右方の係合部分Ｆｕは、図５及び図８に示すように、洗浄槽側レール部材６に装備した洗浄槽接続部材７の前端部に設けられている。
すなわち、洗浄槽接続部材７の前端部に、前後方向に沿う姿勢の板体２９が上方に向けて起立する状態で設けられ、その板体２９に、前後位置調整用回転体２３及び上下位置調整用回転体２５が回転自在に支持され、また、固定用ボルト２７が螺合する連結孔３０が形成されている。
【００７６】
前後位置調整用回転体２３及び上下位置調整用回転体２５は、上方側の係合部分Ｆｕが備える前後位置調整用回転体１６と同様に、いわゆる偏心式のカム操作体として構成されて、板体２９に回転自在に支持されている。
つまり、前後位置調整用回転体２３を回転操作することにより、右方側係合体形成体１０Ｒの下方板状部１０ｓを洗浄槽前後幅方向（扉体３の厚さ方向）に移動させることができ、また、上下位置調整用回転体２５を回転操作することにより、右方側係合体形成体１０Ｒを洗浄槽上下幅方向（扉体３の上下幅方向）に移動させることができるように構成されている。
【００７７】
したがって、下方側の右方の係合作用部Ｅｓは、下方側の右方の係合部分Ｆｓが備える前後位置調整用回転体２３に対して下向き開口状の係合孔２４が係合することにより、下方側の右方の係合部分Ｆｓに対する洗浄槽前後幅方向の移動が阻止され、かつ、洗浄槽上下幅方向の移動が許容されることになり、かつ、前後位置調整用回転体２３の回転操作により、下方側の右方の係合部分Ｆｓに対する洗浄槽前後幅方向での位置が調節されることになる。
【００７８】
そして、下方側の左方の係合作用部Ｅｓも、下方側の右方の係合作用部Ｅｓと同様に、下方側の左方の係合部分Ｆｓに対する洗浄槽前後幅方向の移動が阻止され、かつ、洗浄槽上下幅方向の移動が許容されることになり、かつ、前後位置調整用回転体２３の回転操作により、上方側の左方の係合部分Ｆｕに対する洗浄槽前後幅方向での位置が調節されることになる。
【００７９】
さらに、以上の説明から明らかな如く、上方側の右方の係合作用部Ｅｕ及び下方側の右方の係合作用部Ｅｓが、上下位置調整用回転体２５の回転操作により、上方側の右方の係合部分Ｆｕ及び下方側の右方の係合部分Ｆｓに対する洗浄槽上下幅方向での位置が変更調節されることになる。
同様に、上方側の左方の係合作用部Ｅｕ及び下方側の左方の係合作用部Ｅｓが、上下位置調整用回転体２５の回転操作により、上方側の左方の係合部分Ｆｕ及び下方側の左方の係合部分Ｆｓに対する洗浄槽上下幅方向での位置が変更調節されることになる。
【００８０】
固定用ボルト２７は、上方側の右方の係合部分Ｆｕの固定用ボルト１８と同様に、右方側係合体形成体１０Ｒの下方板状部１０ｓの挿通孔２８を覆う大きさの頭部を備える又は挿通孔２８を覆う大きさの座金を介在させて装着されるものであって、板体２９の連結孔３０に螺合させて締め付けることにより、右方側係合体形成体１０Ｒの下方板状部１０ｓを板体２９に密着させた状態に固定するように構成されている。
【００８１】
また、左方側係合体形成体１０Ｌの上方板状部１０ｕが、固定受け金具２０の板状部２０ｂの横外方側に位置し、かつ、右方側係合体形成体１０Ｒの上方板状部１０ｕが、固定受け金具２０の板状部２０ｂの横外方側に位置するように構成され、また、左方側係合体形成体１０Ｌの下方板状部１０ｓが、洗浄槽接続部材７に装備した板体２９の横外方側に位置し、かつ、右方側係合体形成体１０Ｒの下方板状部１０ｓが、洗浄槽接続部材７に装備した板体２９の横外方側に位置するように構成されることによって、扉体３が洗浄槽横幅方向に移動することが規制されている。
【００８２】
以上の通り、本実施形態においては、上方側左方連結部ＵＬ、上方側右方連結部ＵＲ、下方側左方連結部ＳＬ、及び、下方側右方連結部ＳＲの夫々が、係合作用部Ｅｕ、Ｅｓと係合部分Ｆｕ、Ｆｓとを、洗浄槽上下幅方向での相対移動を許容する状態で係合させるように構成されている。
【００８３】
そして、下方側の左方の係合部分Ｆｓに、左方側係合体形成体１０Ｌの洗浄槽上下幅方向での位置を調節すべく、下方側の左方の係合作用部Ｅｓを洗浄槽上下幅方向での位置を変更調節自在に受止め支持する左方側の受止め支持体として、上下位置調整用回転体２５が設けられることになる。
同様に、下方側の右方の係合部分Ｆｓに、右方側係合体形成体１０Ｒの洗浄槽上下幅方向での位置を調節すべく、下方側の右方の係合作用部Ｅｓを洗浄槽上下幅方向での位置を変更調節自在に受止め支持する右方側の受止め支持体として、上下位置調整用回転体２５が設けられることになる。
【００８４】
ちなみに、扉体３を洗浄槽２に装着するために、扉体３に取付けた係合体Ｅを洗浄槽２の前部に設けた係合部Ｆに係合させた状態においては、左方側係合体形成体１０Ｌ及び右方側係合体形成体１０Ｒが、洗浄槽２における左右の前方張出部２ｆの間に位置するものとなるが、図２、図１５及び図１６に示すように、洗浄槽２における右方側の前方張出部２ｆには、上方側操作用窓３１及び下方側操作用窓３２が形成されている。
【００８５】
そして、上方側操作用窓３１を通して、上方側の右方の係合作用部Ｅｕと上方側の右方の係合部分Ｆｕとの係合状態の確認や、上方側の右方の係合部分Ｆｕが備える前後位置調整用回転体１６の回転操作を行うことができ、加えて、固定用ボルト１８の装着作業を行えるように構成されている。
また、下方側操作用窓３２を通して、下方側の右方の係合作用部Ｅｓと下方側の右方の係合部分Ｆｓとの係合状態の確認や、下方側の右方の係合部分Ｆｓが備える前後位置調整用回転体２３及び上下位置調整用回転体２５の回転操作を行うことができ、加えて、固定用ボルト２７の装着作業を行えるように構成されている。
【００８６】
ちなみに、図示は省略するが、上方側操作用窓３１及び下方側操作用窓３２は、左方側の前方張出部２ｆにも形成されて、上方側の左方の係合作用部Ｅｕと上方側の左方の係合部分Ｆｕとの係合状態の確認や、下方側の左方の係合作用部Ｅｓと下方側の左方の係合部分Ｆｓとの係合状態の確認等の作業を行えるように構成されている。
【００８７】
以上の通り、上方側左方連結部ＵＬ、上方側右方連結部ＵＲ、下方側左方連結部ＳＬ、及び、下方側右方連結部ＳＲの夫々が、係合作用部Ｅｕ、Ｅｓと係合部分Ｆｕ、Ｆｓとを、洗浄槽上下幅方向での相対移動を許容する状態で係合させるように構成されて、洗浄槽２に対する扉体３の洗浄槽上下幅方向での位置を変更調整自在に構成されている。また、左方取付け機構ＪＬ及び右方取付け機構ＪＲの夫々が、左方側係合体形成体１０Ｌ及び右方側係合体形成体１０Ｒを、扉体３の後面に止着される支持金具１１に対して、扉体３の横幅方向（洗浄槽横幅方向）に沿って位置調節自在な状態で取付けるように構成されて、扉体３の洗浄槽横幅方向の位置を調節自在に構成されている。
従って、上方側左方連結部ＵＬ、上方側右方連結部ＵＲ、下方側左方連結部ＳＬ、及び、下方側右方連結部ＳＲ、並びに、左方取付け機構ＪＬ及び右方取付け機構ＪＲにより、扉体装着位置調整機構Ｐが構成されている。
【００８８】
（前カバーの構成）
前カバーＭは合成樹脂製であり、図２、図６及び図１９に示すように、平面視形状が概略コの字状に構成されるものであって、その上部側における左右両端部夫々に、背面側に突出する状態で、ネジ挿通孔を備えた後方突起部３９が設けられている。そして、前カバーＭは、その横幅方向の端部を洗浄槽２の左右の前方張出部２ｆの外方に位置させる状態で、その上部側における左右の後方突起部３９を介して、樹脂製の装着ネジ３３にて洗浄槽２に止着されている。
そして、前カバーＭには、係合体Ｅにおける上方側の左右一対の係合作用部Ｅｕ及び下方側の左右一対の係合作用部Ｅｓを挿通させるために、上下方向に沿う４つのスリット状開口３４が形成されている。
【００８９】
また、前カバーＭには、図６、図９及び図１９に示すように、左方側係合体形成体１０Ｌや右方側係合体形成体１０Ｒにおける支持金具１１との接続部分を挿通させる４つの窓状の挿通開口３５が形成されており、扉体３を洗浄槽２の前部に装着した状態において、前カバーＭを、扉体３と洗浄槽２の間に位置させることができるように構成されている。
さらに、図３、図４及び図７に示すように、洗浄槽２の前部の上方箇所に取り付けられた固定受け金具２０における洗浄槽横幅方向の中央部には、扉体３を装着しない状態において、洗浄槽２を引出し操作する仮把手部２０ｃが備えられ、図９及び図１９に示すように、前カバーＭの上部側箇所には、仮把手部２０ｃを操作するための仮把手部操作用開口３６が形成されている。
そして、洗浄槽２に扉体３を装着しない状態で、仮把手部操作用開口３６を通して仮把手部２０ｃを掴んで、洗浄槽２を引出し操作することが可能に構成されている。
【００９０】
図９、図１９及び図２０に示すように、本発明では、把手部Ｈとして、扉体３の上端面から背面に回り込む引っ掛け部４ｈを備える形態の引っ掛け型の把手部４を取り付ける場合において、引っ掛け部４ｈを入れ込むために切除する切除領域Ｍｃを示す切除領域指示部Ｉが、前カバーＭの上端側部分に設けられている。尚、図９は、切除領域Ｍｃを切除した前カバーＭが洗浄槽２の前部に装着されている状態を示す。また、図１９（ａ）は、切除領域Ｍｃを切除していない前カバーＭを示し、図１９（ｂ）は、切除領域Ｍｃを切除した前カバーＭを示す。
【００９１】
図２、図１０及び図２０に示すように、引っ掛け型の把手部４の引っ掛け部４ｈは、扉体３の背面に回り込んでその背面に当接される背面回り込み部分４ｈｍを備えている。そして、扉体３は、その引っ掛け部４ｈを扉体３の上端部に引っ掛けて、その引っ掛け部４ｈの背面回り込み部分４ｈｍに形成された３個のボルト挿通孔（図示省略）夫々を通して、固定用ボルト４３を扉体３の背面から扉体３に螺合させて締め付けることにより、扉体３の上端部に取り付けられる。
従って、前カバーＭの切除領域Ｍｃは、引っ掛け部４ｈの背面回り込み部分４ｈｍを入れ込むように設定される。
【００９２】
図１９に示すように、本実施形態では、切除領域指示部Ｉが、前カバーＭの切除領域Ｍｃにおける前カバー横幅方向（すなわち、洗浄槽横幅方向）の左端に対応させて、前カバー上下幅方向に伸びる線状に形成される線状左端指示部Ｔｈと、切除領域Ｍｃにおける前カバー横幅方向の右端に対応させて、前カバー上下幅方向に伸びる線状に形成される線状右端指示部Ｔｍと、切除領域Ｍｃにおける前カバー上下幅方向（すなわち、洗浄槽上下幅方向）の下端に対応させて、前カバー横幅方向に伸びる線状に形成される線状下端指示部Ｔｓとから構成されている。
【００９３】
さらに、線状左端指示部Ｔｈ、線状右端指示部Ｔｍが、夫々、前カバーＭの厚さ方向に貫通し且つ前カバー上下幅方向に伸びる線状の左端指示用スリット３７ｈ、右端指示用スリット３７ｍにて構成され、線状下端指示部Ｔｓが、前カバーの厚さ方向に貫通し且つ前カバー横幅方向に伸びる下端指示用スリット列３８にて構成されている。ちなみに、下端指示用スリット列３８は、前カバーの厚さ方向に貫通し且つ前カバー横幅方向に伸びる複数の下端指示用スリット部３８ｓを、前カバー横幅方向に沿って並ぶ状態に備えて構成されている。
【００９４】
そして、図１９に示すように、下端指示用スリット列３８を構成する複数（本実施形態では、４本）の下端指示用スリット部３８ｓが、前カバーＭの上端側部分において、左右の後方突起部３９の直ぐ上に相当する箇所に、隣接するもの同士の間に非切れ目部分３８ｎを位置させる状態で、前カバー横幅方向における略全幅に近い範囲にわたる状態で形成されている。
ちなみに、４本の下端指示用スリット部３８ｓ夫々の前カバー横幅方向に沿う長さは、略同一であり、また、３箇所の非切れ目部分３８ｎ夫々の前カバー横幅方向に沿う長さも、略同一である。そして、下端指示用スリット部３８ｓの前カバー横幅方向に沿う長さは、非切れ目部分３８ｎの前カバー横幅方向に沿う長さの１６〜１８倍程度に設定されている。
【００９５】
また、複数の左端指示用スリット３７ｈが、前カバーＭの上端側部分において、４本の下端指示用スリット部３８ｓのうちの左端の下端指示用スリット部３８ｓの上方の領域に、夫々の上端を前カバーＭの上端縁の手前近くに位置させ、且つ、夫々の下端を左端の下端指示用スリット部３８ｓに連通させた状態で、前カバー横幅方向に並ぶ状態で形成されている。
また、複数の右端指示用スリット３７ｍが、前カバーＭの上端側部分において、４本の下端指示用スリット部３８ｓのうちの右端の下端指示用スリット部３８ｓの上方の領域に、夫々の上端を前カバーＭの上端縁の手前近くに位置させ、且つ、夫々の下端を右端の下端指示用スリット部３８ｓに連通させた状態で、前カバー横幅方向に並ぶ状態で形成されている。
【００９６】
つまり、切除領域指示部Ｉは、前カバーＭの上端側部分において、その前カバーＭを洗浄槽２に取り付けるための左右の後方突起部３９よりも上方側の箇所に設けられている。このことにより、切除領域指示部Ｉにて示される切除領域Ｍｃを切除した場合でも、前カバーＭを洗浄槽２に確実に装着することができる。
【００９７】
ところで、引っ掛け型の把手部４の引っ掛け部４ｈとしては、その背面回り込み部分４ｈｍにおける前カバー横幅方向での幅や前カバー上下幅方向での幅が異なる複数種が想定される。
そこで、複数の左端指示用スリット３７ｈのうちの最も内側のものと、複数の右端指示用スリット３７ｍのうちの最も内側のものとの間隔は、想定される背面回り込み部分４ｈｍの前カバー横幅方向での幅のうちで最も狭い幅よりもわずかに大きくなるように設定されている。
また、複数の左端指示用スリット３７ｈのうちの最も外側のものと、複数の右端指示用スリット３７ｍのうちの最も外側のものとの間隔は、想定される背面回り込み部分４ｈｍの前カバー横幅方向での幅のうちで最も広い幅よりもわずかに大きくなるように設定されている。
【００９８】
また、前カバーＭの上端縁と下端指示用スリット部３８ｓとの間隔は、想定される背面回り込み部分４ｈｍの前カバー上下幅方向での幅のうちで最も広い幅よりもわずかに大きくなるように設定されている。
【００９９】
以上の通り、本実施形態では、線状左端指示部Ｔｈ及び線状右端指示部Ｔｍ夫々が、前カバー横幅方向に並ぶ状態で、複数本設けられていることになる。
また、線状左端指示部Ｔｈ、線状右端指示部Ｔｍ及び線状下端指示部Ｔｓ夫々が、前カバーＭの厚さ方向に貫通する切れ目状に構成されていることになる。
【０１００】
また、切れ目状の線状下端指示部Ｔｓが下端指示用スリット列３８にて構成され、その下端指示用スリット列３８が、前カバーの厚さ方向に貫通する複数の下端指示用スリット部３８ｓ（すなわち、線状切れ目部分に相当する）を、隣接するもの同士の間に非切れ目部分３８ｎを位置させる状態で、前カバー横幅方向に並設する形態に構成されていることになる。
さらに、下端指示用スリット部３８ｓの前カバー横幅方向に沿う長さが、非切れ目部分３８ｎの前カバー横幅方向に沿う長さの複数倍以上に形成されていることになる。
【０１０１】
次に、前カバーＭを洗浄槽２の前部に装着する手順を説明する。
先ず、図９、図１９及び図２０に基づいて、扉体３に引っ掛け型の把手部４が取り付けられている場合について説明する。
この場合は、先ず、前カバーＭにおいて切除領域Ｍｃを設定して、その切除領域Ｍｃを切除してから、その前カバーＭを洗浄槽２に装着する。
すなわち、切除領域Ｍｃにおける前カバー横幅方向での幅を、引っ掛け部４ｈにおける背面回り込み部分４ｈｍの前カバー横幅方向での幅よりもわずかに大きい幅に設定すべく、複数の左端指示用スリット３７ｈ及び複数の右端指示用スリット３７ｍ夫々から、特定の１本を選択する。
続いて、ニッパーやカッターナイフ等を用いて、選択した左端指示用スリット３７ｈの上端と前カバーＭの上端縁との間、及び、選択した右端指示用スリット３７ｍの上端と前カバーＭの上端縁との間を切断すると共に、選択した左端指示用スリット３７ｈと選択した右端指示用スリット３７ｍとの間に存在する非切れ目部分３８ｎを切断して、図１９（ｂ）に示すように、切除領域Ｍｃを切除する。すると、前カバーＭの上端側部分の左右両端には、切除領域Ｍｃが切除された残りの切片部Ｍｓが残される。
そして、切除領域Ｍｃを切除した前カバーＭを、上述のように、左右の後方突起部３９を介して、２本の装着ネジ３３にて洗浄槽２の前部に装着する。
【０１０２】
図２２に示すように、扉体３に当て付け型の把手部４２が取り付けられている場合は、前カバーＭを、切除領域Ｍｃを切除することなく、上述のように、左右の後方突起部３９を介して、２本の装着ネジ３３にて洗浄槽２の前部に装着する。
【０１０３】
次に、扉体３を前カバーＭが装着された状態の洗浄槽２に装着する手順について説明を加える。
図２、図２０〜図２２に示すように、扉体３を前カバーＭが装着された状態の洗浄槽２に装着するときは、前カバーＭが装着された状態の洗浄槽２の上端箇所に、扉体３の後面と接当するシール部材４０が装備される。このシール部材４０は、前カバー横幅方向の全長にわたる長さのテープ状に構成されている。
【０１０４】
先ず、扉体３の後面に装着した係合体Ｅにおける上方側の左右一対の係合作用部Ｅｕ及び下方側の左右一対の係合作用部Ｅｓを、前カバーＭのスリット状開口３４を通して、前カバーＭの内部に挿入し、次に、上方側の左右一対の係合作用部Ｅｕ及び下方側の左右一対の係合作用部Ｅｓを、上方側の左右一対の係合部分Ｆｕ及び下方側の左右一対の係合部分Ｆｓに係合させることになる（図１８参照）。
【０１０５】
具体的には、左方側係合体形成体１０Ｌや右方側係合体形成体１０Ｒにおける上方板状部１０ｕの係合孔１７を、上方側の係合部分Ｆｕの前後位置調整用回転体１６に係合させる。
同様に、左方側係合体形成体１０Ｌや右方側係合体形成体１０Ｒにおける下方板状部１０ｓの係合孔２４を、下方側の係合部分Ｆｕの前後位置調整用回転体２３に係合させ、かつ、下方板状部１０ｓの接当部２６を下方側の係合部分Ｆｓの上下位置調整用回転体２５に接当する状態に載せ付ける。
【０１０６】
次に、係合体Ｅにおける上方側の左右一対の係合作用部Ｅｕ及び下方側の左右一対の係合作用部Ｅｓを、上方側の左右一対の係合部分Ｆｕ及び下方側の左右一対の係合部分Ｆｓに係合させた状態において、扉体３の洗浄槽上下幅方向での位置、扉体３の洗浄槽前後幅方向での位置、及び、扉体３の洗浄槽横幅方向での位置を調節することになり、加えて、扉体３の前後方向での傾きや左右方向での傾きを調節することになる。
【０１０７】
具体的には、左右一対の下方側の係合部分Ｆｓに装備した上下位置調整用回転体２５を回転操作することにより、扉体３の洗浄槽上下幅方向での位置を調節する。
また、上方側の左右一対の係合部分Ｆｕに装備した前後位置調整用回転体１６及び下方側の左右一対の係合部分Ｆｓに装備した前後位置調整用回転体２３の回転操作により、扉体３の洗浄槽前後幅方向での位置を調節することになる。
この際、左右の前後位置調整用回転体１６及び左右の前後位置調整用回転体２３の回転操作により、扉体３の上方側の左右両側部分及び下方側の左右両側部分についての洗浄槽前後幅方向での位置を調節することにより、扉体３の前後方向での傾きや左右方向での傾きを調節することができる。
【０１０８】
また、必要に応じて、頭付ボルト１４を操作しながら、左方側係合体形成体１０Ｌや右方側係合体形成体１０Ｒの扉体３に対する横幅方向での位置を調節することによって、扉体３の洗浄槽横幅方向での位置を調節することができる。
【０１０９】
そして、扉体３の洗浄槽２に対する位置調節が終了すると、上方側の左右一対の係合部分Ｆｕに対応する固定用ボルト１８及び下方側の左右一対の係合部分Ｆｓに対応する固定用ボルト２７を締結し、また、４つの頭付ボルト１４を締結する締結作業を行う。
【０１１０】
ちなみに、扉体３を洗浄槽２の前部に装着する作業を行う際には、装着ネジ３３を少し緩めて、前カバーＭを前後に揺動できる状態にしておき、上述した締結作業が終了した段階で、前カバーＭを扉体３後面に密着させるように揺動させ、その後、装着ネジ３３を締め付けて、前カバーＭを固定することになる。
【０１１１】
以上のように扉体３を洗浄槽２の前部に装着すると、以下に説明するように、扉体３の上端部と洗浄槽２の上端部との間に隙間が生じるのを十分に抑制することができる。
すなわち、図２０及び図２１に示すように、扉体３に引っ掛け型の把手部４が取り付けられている場合は、引っ掛け型の把手部４の引っ掛け部４ｈにおける背面回り込み部分４ｈｍは、前カバーＭの切除領域Ｍｃに入り込み、その背面回り込み部分４ｈｍの前カバー横幅方向の両側には、前カバーＭの切片部Ｍｓが近接して存在するので、扉体３の上端部と洗浄槽２の上端部との間に隙間が生じるのを十分に抑制することができる。
【０１１２】
そして、シール部材４０は、前カバー横幅方向において切除領域Ｍｃが切除された領域では、引っ掛け部４ｈの背面回り込み部分４ｈｍと洗浄槽２の操作パネルＢの前面との間に介在し、前カバー横幅方向において切除領域Ｍｃではない両端側領域では、シール部材４０は、扉体３の背面の上端部と前カバーＭの切片部Ｍｓとの間に介在する。
従って、シール部材４０により、扉体３の上端部と洗浄槽２の上端部との間が確実に水封される。
【０１１３】
また、図２２に示すように、扉体３に当て付け型の把手部４２が取り付けられている場合は、前カバーＭから切除領域Ｍｃが切除されていないので、扉体３の上端部と洗浄槽２の上端部との間には、その横幅方向の全長にわたって前カバーＭの上端部が存在しているので、扉体３の上端部と洗浄槽２の上端部との間に隙間が生じるのを十分に抑制することができる。
【０１１４】
そして、シール部材４０は、前カバー横幅方向の全長にわたって、扉体３の背面の上端縁部と前カバーＭの上端縁部との間に介在するので、シール部材４０により、扉体３の上端部と洗浄槽２の上端部との間が確実に水封される。
【０１１５】
しかも、前カバーＭから切除領域Ｍｃを切除するにしても、予め設けられている切除領域指示部Ｉを目印にして、カッターナイフやニッパー等の工具を用いて簡単に行うことができる。
さらに、その切除領域指示部Ｉを構成する線状左端指示部Ｔｈ、線状右端指示部Ｔｍ及び線状下端指示部Ｔｓが夫々切れ目状に構成されていることから、前カバーＭから切除領域Ｍｃを一層精度良く切除することができると共に、前カバーＭから切除領域を切除する作業を一層容易化することができる。
要するに、把手部Ｈの取り付け形態が異なるにも拘らず、扉体３の上端部と洗浄槽２の上端部との間に隙間が生じるのを十分に抑制しながら、把手部Ｈが取り付けられた扉体３を洗浄槽２との間に前カバーＭを位置させた状態で洗浄槽２の前部に装着することができ、しかも、その装着作業を簡略化し得る食器洗浄機Ｓを提供することができる。
【０１１６】
〔別実施形態〕
次に別実施形態を説明する。
（イ）  上記の実施形態では、複数の左端指示用スリット３７ｈを４本の下端指示用スリット部３８ｓのうちの左端の下端指示用スリット部３８ｓの上方の領域に形成し、複数の右端指示用スリット３７ｍを、４本の下端指示用スリット部３８ｓのうちの右端の下端指示用スリット部３８ｓの上方の領域に形成した。
これに限らず、引っ掛け型の把手部４として、引っ掛け部４ｈの背面回り込み部分４ｈｍにおける前カバー横幅方向での幅が上記の実施形態よりも狭いものが想定される場合は、複数の左端指示用スリット３７ｈを左から２本目の下端指示用スリット部３８ｓの上方の領域にも形成し、複数の右端指示用スリット３７ｍを、右から２本目の下端指示用スリット部３８ｓの上方の領域にも形成しても良い。
【０１１７】
（ロ）  下端指示用スリット列３８において、下端指示用スリット部３８ｓの前カバー横幅方向に沿う長さと非切れ目部分３８ｎの前カバー横幅方向に沿う長さとの関係は、下端指示用スリット部３８ｓの長さが非切れ目部分３８ｎの長さの複数倍以上になる条件で、種々に変更設定可能である。
【０１１８】
（ハ）  上記の実施形態では、切れ目状の線状下端指示部Ｔｓを構成するに、複数の下端指示用スリット部３８ｓを、隣接するもの同士の間に非切れ目部分３８ｎを位置させる状態で、前カバー横幅方向に並設する形態に構成したが、前カバー横幅方向に伸びる１本のスリットにより構成しても良い。
【０１１９】
（ニ）  線状左端指示部Ｔｈ、線状右端指示部Ｔｍ及び線状下端指示部Ｔｓ夫々を、前カバーの厚さ方向に凹む凹溝状に構成しても良い。
【０１２０】
（ホ）  切除領域指示部Ｉにより切除領域Ｍｃを指示する具体的な指示形態は、上記の実施形態において例示した指示形態、すなわち、線状左端指示部Ｔｈと線状右端指示部Ｔｍと線状下端指示部Ｔｓにより指示する指示形態に限定されるものではない。例えば、前カバーＭの前面における切除領域Ｍｃに対応する部分の表面状態を他の部分の表面状態と異ならせる（例えば、色を異ならせる）指示形態でもよい。
【符号の説明】
【０１２１】
１      本体ケーシング
２      洗浄槽
３      扉体
４      引っ掛け型の扉体（引っ掛け部を備える形態の把手部）
４ｈ    引っ掛け部
３８    下端指示用スリット列（切れ目状の線状下端指示部）
３８ｓ  下端指示用スリット部（線状切れ目部分）
３８ｎ  非切れ目部分
Ａ      洗浄槽挿脱用開口
Ｈ      把手部
Ｉ      切除領域指示部
Ｍ      前カバー
Ｍｃ    切除領域
Ｔｈ    線状左端指示部
Ｔｍ    線状右端指示部
Ｔｓ    線状下端指示部
【図１】
2014158569.tif 000003
【図２】
2014158569.tif 000004
【図３】
2014158569.tif 000005
【図４】
2014158569.tif 000006
【図５】
2014158569.tif 000007
【図６】
2014158569.tif 000008
【図７】
2014158569.tif 000009
【図８】
2014158569.tif 000010
【図９】
2014158569.tif 000011
【図１０】
2014158569.tif 000012
【図１１】
2014158569.tif 000013
【図１２】
2014158569.tif 000014
【図１３】
2014158569.tif 000015
【図１４】
2014158569.tif 000016
【図１５】
2014158569.tif 000017
【図１６】
2014158569.tif 000018
【図１７】
2014158569.tif 000019
【図１８】
2014158569.tif 000020
【図１９】
2014158569.tif 000021
【図２０】
2014158569.tif 000022
【図２１】
2014158569.tif 000023
【図２２】
2014158569.tif 000024
【図２３】
2014158569.tif 000025
【図２４】
2014158569.tif 000026